(57)【要約】【課題】  任意の大きさや形状、透過率でメモ欄を付加したデジタル写真をテンプレート画像の合成によることなく作成可能な記録装置を提供する。【解決手段】  「メモ領域情報」は、ユーザが設定した「メモ欄」の位置、形状、サイズ、透過率及び色の情報を含んでいる。このうち、「メモ欄」の位置、形状、サイズ、透過率の情報は、合成判定部１１へ出力され、「メモ欄」の色の情報は、合成部１５へ出力される。「領域設定手段」としての合成判定部１１は、「メモ領域情報」に基づいて画像展開領域ＩＭＦにおける任意の領域をメモ領域ＭＦとしてピクセル単位で指定し、「メモ欄形成処理手段」としての合成部１５へ出力する（領域開始座標（Ｘ１，Ｙ１）、サイズ（横幅Ｓ＿Ｘ、縦幅Ｓ＿Ｙ）、透過率等）。合成部１５は、「メモ領域情報」に基づいて、画像展開領域ＩＭＦのメモ領域ＭＦに、指定された色及び透過率の色データを生成して合成する。【選択図】  図４
2006231840.tif 000002
【特許請求の範囲】
【請求項１】
ユーザの操作を入力する操作部と、被記録材への記録を実行する記録実行手段と、
前記操作部から入力されるユーザの操作に応じて、デジタル画像データを画像展開領域に展開し、該画像展開領域の記録制御を実行する記録制御装置とを備えた記録装置であって、
前記記録制御装置は、前記画像展開領域における任意の領域を前記操作部からの操作入力に基づいてピクセル単位で指定する領域設定手段と、
前記操作部からの操作入力に基づくメモ欄形成処理を前記領域設定手段にて指定されている領域についてのみ実行するメモ欄形成処理手段とを有している、ことを特徴とした記録装置。
【請求項２】
請求項１において、前記メモ欄形成処理手段は、前記画像展開領域において、前記操作部からの操作入力に基づいて生成した任意の色及び透過率の色データをデジタル画像データの前記領域設定手段にて指定されている領域に合成する、ことを特徴とした記録装置。
【請求項３】
請求項２において、前記メモ欄形成処理手段は、前記領域設定手段により指定された複数の領域に対して領域ごとに異なる色及び透過率を設定可能な構成を有している、ことを特徴とした記録装置。
【請求項４】
請求項１において、前記メモ欄形成処理手段は、前記画像展開領域に展開されたデジタル画像データを記録データに変換する過程で前記領域設定手段にて指定されている領域の記録データをＮＵＬＬデータに置換する、ことを特徴とした記録装置。
【発明の詳細な説明】
【技術分野】
【０００１】
本発明は、ユーザの操作を入力する操作部と、被記録材への記録を実行する記録実行手段と、操作部から入力されるユーザの操作に応じて、デジタル画像データを画像展開領域に展開して画像展開領域の記録制御を実行する記録制御装置とを備えた記録装置に関する。
【背景技術】
【０００２】
インクジェットプリンタ等の記録装置においては、ＤＳＣ（デジタル・スチル・カメラ）等のデジタル画像処理装置で撮影したデジタル画像を写真専用紙等の被記録材に記録（印刷）する際に、テンプレート画像を重ねて画像合成することが可能なものが公知である（例えば、特許文献１を参照）。ＤＳＣ等で撮影したデジタル画像に対して、ユーザが好みに応じてフレーム枠やイラスト等を追加（合成）して記録することで、オリジナルの年賀状等を容易に作成できるというメリットがある。
【０００３】
そして、テンプレート画像を合成してデジタル画像を記録する一例としては、デジタル画像にメモ欄を付加する態様がある。例えば、撮影年月日やイベント名、撮影対象、撮影時の状況等を手書きで書き添えることができ、デジタル写真の分類・整理や撮影時の記憶を思い起こす際に役立つため、デジタル画像にメモ欄を付加してデジタル写真を作成するユーザが増えつつある。
【０００４】
このようなテンプレート画像をデジタル画像に合成するのは、従来はパーソナルコンピュータ等の情報処理装置上で行うのが一般的であった。しかし、近年は、ＤＳＣを記録装置に直接接続して、ＤＳＣから送信されるデジタル画像ファイルに基づいて被記録材への記録を実行したり、記録装置のメモリカードスロットからメモリカード内のデジタル画像ファイルを直接読み込んで被記録材への記録を実行したりする用途が増えつつある。そして、このような用途においてもデジタル画像にメモ欄を付加してデジタル写真を作成することが可能な記録装置が望まれている。
【０００５】
【特許文献１】特開２００３−９２７１５号公報
【発明の開示】
【発明が解決しようとする課題】
【０００６】
しかしながら、多種のメモ欄のテンプレート画像データを記録装置内部の不揮発性記憶媒体に全て記憶させて保持させるとなると、大容量の不揮発性記憶媒体が必要になって大幅にコストが上昇してしまうため現実的ではない。また、記憶容量を減らすために記憶するメモ欄画像データの数を制限すると、メモ欄の大きさや形状、透過率等の選択肢が少なくなり自由度が低下してしまうという問題がある。さらに、記憶容量を減らすためにメモ欄画像データを圧縮して記憶保持すると、展開したメモ欄画像が荒い画像になってしまい、デジタル画像とメモ欄画像との合成部分がきれいに生成されないという課題が生じる。
【０００７】
本発明は、このような状況に鑑み成されたものであり、その課題は、任意の大きさや形状、透過率でメモ欄を付加したデジタル写真をテンプレート画像の合成によることなく作成可能な記録装置を提供することにある。
【課題を解決するための手段】
【０００８】
上記課題を達成するため、本発明の第１の態様は、ユーザの操作を入力する操作部と、被記録材への記録を実行する記録実行手段と、前記操作部から入力されるユーザの操作に応じて、デジタル画像データを画像展開領域に展開し、該画像展開領域の記録制御を実行する記録制御装置とを備えた記録装置であって、前記記録制御装置は、前記画像展開領域における任意の領域を前記操作部からの操作入力に基づいてピクセル単位で指定する領域設定手段と、前記操作部からの操作入力に基づくメモ欄形成処理を前記領域設定手段にて指定されている領域についてのみ実行するメモ欄形成処理手段とを有している、ことを特徴とした記録装置である。
【０００９】
このように、所望のデジタル画像データに基づく被記録材への記録を実行する際には、記録装置の操作部からの操作入力によって指定された領域にメモ欄を形成する処理を実行することによって、デジタル画像に所望のメモ欄を付加したデジタル写真を作成することができる。すなわち、外部から取り込んだテンプレート画像をデジタル画像に合成することによりデジタル画像にメモ欄を付加するのではなく、メモ欄を形成する処理を記録装置の内部処理で実行することによって、デジタル画像に所望のメモ欄を付加したデジタル写真を作成する。
【００１０】
それによって、多種のメモ欄画像データを記録装置内部の不揮発性記憶媒体に記憶保持する必要がなくなり、記録装置のコストが大幅に上昇してしまうことを防止できる。また、テンプレート画像によらずに、ピクセル単位で領域指定してメモ欄を形成するので、メモ欄の形状や大きさ等を任意に設定できるとともに、デジタル画像とメモ欄画像との合成部分がきれいに生成されないという課題も生じない。
【００１１】
これにより、本発明の第１の態様に記載の発明によれば、メモ欄を形成する処理を記録装置の内部処理で実行することによって、デジタル画像に所望のメモ欄を付加したデジタル写真を作成するので、任意の大きさや形状、透過率でメモ欄を付加したデジタル写真をテンプレート画像の合成によることなく作成することができるという作用効果が得られる。
【００１２】
本発明の第２の態様は、前述した第１の態様において、前記メモ欄形成処理手段は、前記画像展開領域において、前記操作部からの操作入力に基づいて生成した任意の色及び透過率の色データをデジタル画像データの前記領域設定手段にて指定されている領域に合成する、ことを特徴とした記録装置である。
【００１３】
このように、画像展開領域に展開されたデジタル画像データの領域設定手段にて指定されている領域に、任意の色及び透過率の色データを合成することによって、任意の大きさや形状、透過率でメモ欄を付加したデジタル写真をテンプレート画像の合成によることなく作成することができるという作用効果が得られる。
【００１４】
本発明の第３の態様は、前述した第２の態様において、前記メモ欄形成処理手段は、前記領域設定手段により指定された複数の領域に対して領域ごとに異なる色及び透過率を設定可能な構成を有している、ことを特徴とした記録装置である。
【００１５】
大きさや形状、色、透過率が異なる複数のメモ欄を付加したデジタル写真を作成することができるので、より多様なニーズにも柔軟に対応することが可能になる。例えば、１枚の被記録材に二以上のデジタル画像を記録する場合には、異なる大きさや形状、色、透過率のメモ欄をそれぞれのデジタル画像に付加したデジタル写真を作成することができる。
【００１６】
本発明の第４の態様は、前述した第１の態様において、前記メモ欄形成処理手段は、前記画像展開領域に展開されたデジタル画像データを記録データに変換する過程で前記領域設定手段にて指定されている領域の記録データをＮＵＬＬデータに置換する、ことを特徴とした記録装置である。
【００１７】
このように、画像展開領域に展開されたデジタル画像データを記録データに変換する過程で領域設定手段にて指定されている領域、すなわちメモ欄を形成する領域の記録データをＮＵＬＬデータに置換することによって、その部分の記録が実行されないので、指定されている領域に被記録材の地色のメモ欄を形成することができる。したがって、任意の大きさや形状、透過率でメモ欄を付加したデジタル写真をテンプレート画像の合成によることなく作成することができる。
【発明を実施するための最良の形態】
【００１８】
以下、本発明の実施の形態を図面に基づいて説明する。  
まず、本発明に係る「記録装置」の一例としてのインクジェット式記録装置の概略構成について説明する。
【００１９】
図１は、本発明に係るインクジェット式記録装置の要部平面図であり、図２はその側面図である。図３は、本発明に係るインクジェット式記録装置と「情報処理装置」とで構成される記録システムの概略のブロック図である。
【００２０】
インクジェット式記録装置５０には、「被記録材」としての記録紙Ｐにインクを噴射して記録を行う記録ヘッド６２を記録紙Ｐに対して主走査方向Ｘに走査させる「主走査駆動手段」として、主走査方向Ｘに移動可能にキャリッジガイド軸５１に軸支されたキャリッジ６１が設けられている。キャリッジ６１には、記録ヘッド６２と後述するＰＷセンサ３４とが搭載されており、ＣＲモータ６３（図３）の回転駆動力が図示していないベルト伝達機構によって伝達されて主走査方向Ｘに往復動する。記録ヘッド６２のヘッド面と対向する位置には、記録ヘッド６２のヘッド面と記録紙Ｐとのギャップを規定するプラテン５２が設けられている。
【００２１】
キャリッジ６１の主走査方向Ｘへの往復動領域の一端側の外側には、公知のキャッピング装置５９が設けられている。記録を実行しない待機状態においては、キャリッジ６１がキャッピング装置５９の上まで移動して停止し、キャッピング装置５９に配設されているキャップＣＰによって記録ヘッド６２のヘッド面が封止される。このキャリッジ６１の停止位置は、ホームポジションＨＰとして規定される。
【００２２】
また、インクジェット式記録装置５０には、記録ヘッド６２を記録紙Ｐに対して副走査方向Ｙに走査させる「副走査駆動手段」として、記録紙Ｐを副走査方向Ｙに搬送する搬送駆動ローラ５３と搬送従動ローラ５４が設けられている。搬送駆動ローラ５３は、ＰＦモータ５８（図３）の回転駆動力が歯車伝達されて回転し、搬送駆動ローラ５３の回転により、記録紙Ｐは副走査方向Ｙに搬送される。搬送従動ローラ５４は、複数設けられており、それぞれ個々に搬送駆動ローラ５３に付勢され、記録紙Ｐが搬送駆動ローラ５３の回転により搬送される際に、記録紙Ｐに接しながら記録紙Ｐの搬送に従動して回転する。搬送駆動ローラ５３の外周面には、高摩擦抵抗を有する皮膜が施されている。搬送従動ローラ５４によって、搬送駆動ローラ５３の外周面に押しつけられた記録紙Ｐは、その外周面の摩擦抵抗によって搬送駆動ローラ５３の外周面に密着し、搬送駆動ローラ５３の回転によって副走査方向に搬送される。インクジェット記録装置５０の「記録実行手段」は、上述した「主走査駆動手段」と「副走査駆動手段」とで構成され、キャリッジ６１とプラテン５２の間に記録紙Ｐを副走査方向Ｙに所定の搬送量で搬送する動作と、記録ヘッド６２を主走査方向Ｘに一往復させる間に記録ヘッド６２から記録紙Ｐにインクを噴射する動作とを交互に繰り返すことによって記録紙Ｐに記録が行われる。
【００２３】
搬送駆動ローラ５３の副走査方向Ｙの上流側には、多数の記録紙Ｐを積重可能な「被記録材積重手段」としての給紙トレイ５７が配設されている。給紙トレイ５７は、例えば普通紙やフォト紙等の記録紙Ｐを給紙（給送）可能な構成となっている。給紙トレイ５７の近傍には、給紙トレイ５７に積重されている記録紙Ｐの最上位の記録紙Ｐを「記録実行手段」へ自動給送する「自動給送手段」としてのＡＳＦ（オート・シート・フィーダー）が設けられている。ＡＳＦは、給紙トレイ５７に設けられた給紙ローラ５７ｂ及び図示してない分離パッドを有する自動給紙機構である。給紙ローラ５７ｂは、給紙トレイ５７の一方側に配置されている。記録紙ガイド５７ａは、記録紙Ｐの幅に合わせて幅方向に摺動可能に給紙トレイ５７に設けられている。そして、ＰＦモータ５８（図３）の回転駆動力が歯車伝達されて回転する給紙ローラ５７ｂの回転駆動力と、分離パッドの摩擦抵抗により、給紙トレイ５７に置かれた記録紙Ｐを給紙する際に、複数の記録紙Ｐが一度に給紙されることなく最上位の記録紙Ｐのみが正確に分離されて一枚ずつ自動給紙されるように構成されている。給紙ローラ５７ｂと搬送駆動ローラ５３との間には、公知の技術による紙検出器３３が配設されている。
【００２４】
一方、記録実行後の記録紙Ｐを排紙する手段として、「排出駆動ローラ」としての排紙駆動ローラ５５と排紙従動ローラ５６とが設けられている。排紙駆動ローラ５５は、ＰＦモータ５８（図３）の回転駆動力が歯車伝達されて回転し、排紙駆動ローラ５５の回転により、記録実行後の記録紙Ｐは副走査方向Ｙに排紙される。排紙従動ローラ５６は、周囲に複数の歯を有し、各歯の先端が記録紙Ｐの記録面に点接触するように鋭角的に尖った歯付きローラになっている。複数の排紙従動ローラ５６は、それぞれ個々に排紙駆動ローラ５５に付勢され、記録紙Ｐが排紙駆動ローラ５５の回転により排紙される際に記録紙Ｐに接して記録紙Ｐの排紙に伴い従動回転する。
【００２５】
そして、給紙ローラ５７ｂや搬送駆動ローラ５３、及び排紙駆動ローラ５５を回転駆動するＰＦモータ５８（図３）、並びにキャリッジ６１を主走査方向に駆動するＣＲモータ６３（図３）は、後述する記録制御部１００により駆動制御される。また、記録ヘッド６２も同様に、記録制御部１００により駆動制御されて記録紙Ｐの表面にインクを噴射する。インクジェット式記録装置５０は、記録制御部１００によって、キャリッジ６１を主走査方向Ｘへ往復動させながら記録ヘッド６２から記録紙Ｐへインクを噴射する動作と、記録紙Ｐを副走査方向Ｙへ所定の搬送量で搬送する動作とを交互に繰り返しながら記録紙Ｐへの記録が実行される。
【００２６】
引き続き図１〜図３を参照しながらインクジェット式記録装置５０と「情報処理装置」とで構成される記録システム１０、並びに「記録制御装置」としての記録制御部１００について説明する。
【００２７】
記録制御部１００は、ＲＯＭ１０１、ＲＡＭ１０２、ＡＳＩＣ（特定用途向け集積回路）１０３、ＭＰＵ１０４、「不揮発性記憶媒体」としての不揮発性メモリ１０５、ＰＦモータドライバ１０６、ＣＲモータドライバ１０７及びヘッドドライバ１０８を備えている。ＭＰＵ１０４には、ＡＳＩＣ１０３を介して搬送駆動ローラ５３の回転量を検出する「回転量検出手段」としてのロータリエンコーダ３１、キャリッジ６１の移動量を検出する「キャリッジ移動量検出手段」としてのリニアエンコーダ３２、搬送される記録紙Ｐの先端及び後端を検出する紙検出器３３、主走査方向Ｘの記録紙Ｐの端部を検出するためのＰＷセンサ３４、インクジェット式記録装置５０の電源をＯＮ／ＯＦＦするための電源スイッチ３５、「記録実行手段」による記録紙Ｐへの記録開始操作をするための記録操作スイッチ３６、及び「設定入力手段」としての操作パネル３９の出力信号が入力される。
【００２８】
公知のロータリエンコーダ３１は、搬送駆動ローラ５３の回転に連動して回転するロータリスケール３１１と、ロータリスケール３１１の外周に沿って等間隔に形成されているスリットを検出するロータリスケールセンサ３１２とを有している（図２）。搬送駆動ローラ５３の回転に伴い変化するロータリスケールセンサ３１２の出力信号は、ＡＳＩＣ１０３を介してＭＰＵ１０４へ出力される。
【００２９】
公知のリニアエンコーダ３２は、キャリッジ６１の近傍に主走査方向Ｘと略平行に配置されたリニアスケール３２１と、キャリッジ６１に搭載されたリニアスケール３２１に等間隔に形成されているスリットを検出するリニアスケールセンサ３２２とを有している（図２）。キャリッジ６１の主走査方向Ｘの移動量に応じたパルスの周期が移動速度に伴い変化するリニアスケールセンサ３２２の出力信号は、ＡＳＩＣ１０３を介してＭＰＵ１０４へ出力される。
【００３０】
公知の紙検出器３３は、立位姿勢への自己復帰習性が付与され、かつ記録紙Ｐの搬送方向（副走査方向Ｙ）にのみ回動し得るよう記録紙Ｐの搬送経路内に突出する状態で枢支されたレバーを有し、このレバーの先端が記録紙Ｐに押されることでレバーが回動し、それによって記録紙Ｐが検出される構成を成す検出器である（図２）。紙検出器３３は、給紙ローラ５７ｂより給紙された記録紙Ｐの始端位置及び終端位置を検出し、その検出信号は、ＡＳＩＣ１０３を介してＭＰＵ１０４へ出力される。ＰＷセンサ３４は、非接触の光学式センサで構成されており、記録紙Ｐの主走査方向Ｘの端部位置（記録紙Ｐの側端位置）を検出し、その検出信号は、ＡＳＩＣ１０３を介してＭＰＵ１０４へ出力される。紙検出器３３及びＰＷセンサ３４の出力信号に基づいて記録紙Ｐの搬送位置や記録紙Ｐのサイズ等がＭＰＵ１０４において演算される。
【００３１】
記録制御部１００のシステムバスには、ＲＯＭ１０１、ＲＡＭ１０２、ＡＳＩＣ１０３、ＭＰＵ１０４及び不揮発性メモリ１０５が接続されている。ＭＰＵ１０４は、インクジェット式記録装置５０の記録制御を実行する為の演算処理やその他必要な演算処理を行う。ＲＯＭ１０１には、ＭＰＵ１０４によるインクジェット式記録装置５０の制御に必要な記録制御プログラム（ファームウェア）等が格納されており、記録制御プログラムの処理に必要な各種データ等は不揮発性メモリ１０５に記憶されている。ＲＡＭ１０２は、ＭＰＵ１０４の作業領域や記録データ等の格納領域として用いられる。
【００３２】
ＡＳＩＣ１０３は、ＤＣモータであるＰＦモータ５８及びＣＲモータ６３の速度制御、並びに記録ヘッド６２の駆動制御を行う為の制御回路を有している。ＭＰＵ１０４から送られてくる制御命令、ロータリエンコーダ３１の出力信号、及びリニアエンコーダ３２の出力信号に基づいて、ＰＦモータ５８及びＣＲモータ６３の速度制御を行う為の各種演算を行い、その演算結果に基づくモータ制御信号をＰＦモータドライバ１０６及びＣＲモータドライバ１０７へ送出する。また、ＭＰＵ１０４から送出される記録データ等に基づいて、記録ヘッド６２の制御信号を演算生成してヘッドドライバ１０８へ送出して記録ヘッド６２を駆動制御する。
【００３３】
ＡＳＩＣ１０３は、「情報処理装置」としてのパーソナルコンピュータ３０１、デジタルカメラ３０２或いは携帯電話端末３０３等との情報伝送を実現する「情報伝送手段」としてカードＩＦ１１１、ホストＩＦ１１２及びデバイスＩＦ１１３を有している。  
カードＩＦ１１１は、「デジタル画像データ読込手段」としてのカードスロット２００に挿入される不揮発性メモリカードやＰＣカード等のカードインタフェースを実現する。カードスロット２００にメモリカードが挿入された場合には、メモリカードのデータの読み書きを可能にし、カードスロット２００に赤外線通信インタフェースカードが挿入された場合には、携帯電話端末３０３等の赤外線通信機能を有する電子機器との赤外線通信インタフェースを実現する。
【００３４】
ホストＩＦ１１２は、ホスト装置接続用のＵＳＢコネクタ３７に接続されるパーソナルコンピュータ（ＰＣ）３０１等のホスト装置とのＵＳＢインタフェースを実現する。ＵＳＢコネクタ３７は、インクジェット式記録装置５０の背面側に配設されている（図２）。  
デバイスＩＦ１１３は、デバイス接続用のＵＳＢコネクタ３８に接続されるデジタルカメラ（ＤＳＣ）３０２等のＵＳＢデバイスとのＵＳＢインタフェースを実現する。ＵＳＢコネクタ３８は、デジタルカメラ３０２等のＵＳＢデバイスの着脱が容易に行えるようにインクジェット式記録装置５０の前面側に配設されている（図２）。
【００３５】
つづいて、デジタルカメラ３０２をインクジェット式記録装置５０に直接接続して、デジタルカメラ３０２から送信されるデジタル画像ファイル、或いはメモリカードスロット２００内のメモリカードから読み込んだデジタル画像ファイルに基づいて記録紙Ｐへの記録を実行する際の記録制御部１００の制御について説明する。
【００３６】
図４は、本発明に係る「記録制御装置」としての記録制御部１００における記録制御の機能ブロック図の第１実施例である。  
図５は、レイアウト情報に基づく記録紙領域及び画像展開領域を模式的に示した平面図である。
【００３７】
リサイズ部１４及び合成部（レイアウト部）１５に入力されるレイアウト情報は、「レイアウト情報に基づく被記録材領域」としての記録紙領域ＰＦ（図５）の大きさと位置、及び記録紙Ｐへの記録実行時の画像展開領域ＩＭＦ（図５）の大きさと位置を固定的に規定する情報を含んでいる。記録紙領域ＰＦの大きさと位置は、記録紙Ｐの規定サイズと固定はみ出し量とで指定され、画像展開領域ＩＭＦの大きさと位置は、平面座標上の領域開始座標と領域終了座標で指定される。画像展開領域ＩＭＦは、記録対象のデジタル画像データが展開されて記録が実行される領域である。縁あり記録の場合、画像展開領域ＩＭＦは、記録紙領域ＰＦより小さい領域で記録紙領域ＰＦの内側に設定される。それによって、記録紙Ｐの記録面には、デジタル画像の外側に余白が形成される。一方、縁なし記録の場合、画像展開領域ＩＭＦは、記録紙領域ＰＦより大きい領域で記録紙領域ＰＦの外側にはみ出すように設定される。それによって、記録紙Ｐの記録面には、デジタル画像が余白無く形成される。
【００３８】
尚、ここでのレイアウト情報は、記録制御部１００の不揮発性メモリ１０５等に記憶されてインクジェット式記録装置５０内に保持されているレイアウト情報、デジタル画像データとともにデジタルカメラ３０２やパーソナルコンピュータ３０１等から送信されるレイアウト情報の双方を含む。
【００３９】
記録実行対象となるデジタル画像ファイルは、デジタル画像ファイル入力部１２を介してデコード部１３へ出力され、デコード部１３にてデコード（圧縮ファイルの解凍）される。デコード部１３は、解凍後のデジタル画像データをリサイズ１４へ出力する。リサイズ部１４は、画像展開領域ＩＭＦに合わせてデジタル画像データのリサイズ（拡大又は縮小）を実行し、リサイズ後のデジタル画像データを合成部（レイアウト部）１５へ出力する。合成部１５は、レイアウト情報に含まれる画像展開領域ＩＭＦの座標情報（領域開始座標（Ｘｄ１，Ｙｄ１）、領域終了座標（Ｘｄ２，Ｙｄ２））に基づいて、画像展開領域ＩＭＦにリサイズ部１４から出力されたリサイズ後のデジタル画像データを展開して最終出力画像データを生成し、記録処理部１６へ出力する。記録処理部１６は、最終出力画像データに基づいて記録紙Ｐへの記録を実行する。
【００４０】
展開領域Ｆ（図５）は、始点（０，０）と終点（ＸＥ，ＹＥ）で指定された平面座標の領域であり、この展開領域に記録紙領域ＰＦ及び画像展開領域ＩＭＦが設定される。合成部（レイアウト部）１５は、レイアウト情報で指定されている記録紙Ｐの規定サイズと固定はみ出し量から領域開始座標（Ｘｐ１，Ｙｐ１）及び領域終了座標（Ｘｐ２，Ｙｐ２）を算出して記録紙領域ＰＦを展開領域Ｆ上に設定する（図５）。上端固定はみ出し量Ｔ１、下端固定はみ出し量Ｂ１、左端固定はみ出し量Ｌ１及び右端固定はみ出し量Ｒ１は、レイアウト情報で固定的に規定される固定はみ出し量である。また、合成部（レイアウト部）１５は、レイアウト情報で指定されている画像展開領域ＩＭＦの座標情報（領域開始座標（Ｘｄ１，Ｙｄ１）、領域終了座標（Ｘｄ２，Ｙｄ２））から画像展開領域ＩＭＦを展開領域Ｆ上に設定する（図５）。
【００４１】
操作パネル３９（図３）のユーザ操作により設定される「メモ欄」の情報としての「メモ領域情報」は、ユーザが設定した「メモ欄」の位置、形状、サイズ、透過率及び色の情報を含んでいる。このうち、「メモ欄」の位置、形状、サイズ、透過率の情報は、合成判定部１１へ出力され、「メモ欄」の色の情報は、合成部（レイアウト部）１５へ出力される。「領域設定手段」としての合成判定部１１は、「メモ領域情報」（位置、形状、サイズ、透過率）に基づいて画像展開領域ＩＭＦにおける任意の領域をメモ領域ＭＦとしてピクセル単位で指定し、「メモ欄形成処理手段」としての合成部１５へ出力する（領域開始座標（Ｘ１，Ｙ１）、サイズ（横幅Ｓ＿Ｘ、縦幅Ｓ＿Ｙ）、透過率等）。合成部１５は、「メモ領域情報」に基づいて、画像展開領域ＩＭＦのメモ領域ＭＦに、指定された色及び透過率の色データを生成して合成する。
【００４２】
以下、ひきつづき図４及び図５を参照しながら、さらに図６及び図７に示したフローチャートも参照しつつ具体的手順について説明する。
【００４３】
図６は、合成判定部１１におけるメモ領域ＭＦを指定する手順を示したフローチャートである。  
まず、画像展開領域ＩＭＦの現在の合成位置（デジタル画像データの展開位置）を合成部（レアウト部）１５から取得する（ステップＳ１）。画像展開領域ＩＭＦへのデジタル画像データの展開及び最終出力画像データの生成は、１回の主走査動作の間（記録ヘッド６２が記録紙Ｐの記録面を主走査方向Ｘへ１回走査する間）のインク噴射データ単位で実行される。つづいて、合成部１５から取得した画像展開領域ＩＭＦの現在の合成位置がメモ領域ＭＦ内か否かを判定する（ステップＳ２）。メモ領域ＭＦ内であれば（ステップＳ２でＹｅｓ）、透過率をユーザが操作パネル３９にて設定した透過率に設定し（ステップＳ３）、メモ領域ＭＦ内でなければ（ステップＳ２でＮｏ）、透過率を１００％に設定する（ステップＳ４）。
【００４４】
このように、メモ領域ＭＦ内のみ透過率を変更することによって、記録紙Ｐの記録面のメモ領域に相当する部分に「メモ欄」が形成される。例えば、メモ領域ＭＦ内の透過率を０％とすれば、デジタル画像を白（記録紙Ｐの地色）抜きした「メモ欄」が形成される。また、透過率と合わせてユーザが白以外の色を指定すれば、その色の色データが合成されてその色の「メモ欄」が形成される。「メモ欄」が形成されるメモ領域ＭＦの形状は、当該実施例に示した四角形に特に限定されず、円形、楕円形等、様々な形状も可能である。
【００４５】
図７は、メモ領域ＭＦ内か否か（図６のフローチャートのステップＳ２）の具体的な判定手順を示したフローチャートである。  
当該手順は、メモ領域ＭＦが四角形（矩形）である場合に、メモ領域ＭＦの領域開始座標（Ｘ１，Ｙ１）とサイズ（横幅Ｓ＿Ｘ、縦幅Ｓ＿Ｙ）と現在の合成位置との対比から現在の合成位置がメモ領域ＭＦ内か否かを判定する手順である。
【００４６】
まず、現在の合成位置座標（Ｘ，Ｙ）のＹ方向座標値がメモ領域ＭＦの領域開始座標値Ｙ１以上かつＹ１＋Ｓ＿Ｙ未満か否かを判定する（ステップＳ１１）。Ｙ方向座標値がメモ領域ＭＦの領域開始座標値Ｙ１以上かつＹ１＋Ｓ＿Ｙ未満でなければ（ステップＳ１１でＮｏ）、Ｙ方向座標値がメモ領域ＭＦの外側の座標値ということになるので、メモ領域ＭＦ外と判定する（ステップＳ１４）。一方、Ｙ方向座標値がメモ領域ＭＦの領域開始座標のＹ１以上かつＹ１＋Ｓ＿Ｙ未満であれば（ステップＳ１１でＹｅｓ）、Ｙ方向座標値がメモ領域ＭＦの内側の座標値と判定する。
【００４７】
つづいて、現在の合成位置座標（Ｘ，Ｙ）のＸ方向座標値がメモ領域ＭＦの領域開始座標値Ｘ１以上かつＸ１＋Ｓ＿Ｘ未満か否かを判定する（ステップＳ１２）。Ｘ方向座標値がメモ領域ＭＦの領域開始座標値Ｘ１以上かつＸ１＋Ｓ＿Ｘ未満でなければ（ステップＳ１２でＮｏ）、Ｘ方向座標値がメモ領域ＭＦの外側の座標値ということになるので、メモ領域ＭＦ外と判定する（ステップＳ１４）。一方、Ｘ方向座標値がメモ領域ＭＦの領域開始座標のＸ１以上かつＸ１＋Ｓ＿Ｘ未満であれば（ステップＳ１２でＹｅｓ）、Ｘ方向座標値がメモ領域ＭＦの内側の座標値ということになるので、現在の合成位置座標（Ｘ，Ｙ）は、メモ領域ＭＦ内と判定する（ステップＳ１３）。
【００４８】
このようにして、所望のデジタル画像データに基づく記録紙Ｐへの記録を実行する際には、操作パネル３９（図３）からの操作入力によって指定された領域に「メモ欄」を形成する処理を実行することによって、デジタル画像に所望の「メモ欄」を付加したデジタル写真を作成することができる。すなわち、外部から取り込んだテンプレート画像をデジタル画像に合成してデジタル画像に「メモ欄」を付加するのではなく、「メモ欄」を形成する処理をインクジェット式記録装置５０の内部処理で実行することによって、デジタル画像に所望の「メモ欄」を付加したデジタル写真を作成することができる。
【００４９】
したがって、任意の大きさや形状で「メモ欄」を付加したデジタル写真をテンプレート画像の合成によることなく作成することができる。また、テンプレート画像によらずに、ピクセル単位で領域指定して「メモ欄」を形成するので、「メモ欄」の形状や大きさ等を任意に設定できるとともに、デジタル画像と「メモ欄」との合成部分がきれいに形成される。「メモ欄」のテンプレート画像データを保存するメモリ容量も不要となり、限られたメモリ資源（不揮発性メモリ１０５等）を有効活用できるので、インクジェット式記録装置５０のコストパフォーマンスを向上させることができる。
【００５０】
尚、操作パネル３９で複数の「メモ欄」を異なる色及び透過率で設定可能にすることもでき、それによって、より多様なニーズにも柔軟に対応することが可能になる。例えば、１枚の記録紙Ｐに二以上のデジタル画像を記録する場合には、異なる大きさや形状、色、透過率の「メモ欄」をそれぞれのデジタル画像に付加したデジタル写真を作成することができる。
【００５１】
図８は、本発明に係る「記録制御装置」としての記録制御部１００における記録制御の機能ブロック図の第２実施例である。  
当該実施例においては、画像展開領域ＩＭＦ（図５）に展開されたデジタル画像データを記録処理部１６で記録データに変換する過程でメモ領域ＭＦの記録データをＮＵＬＬデータに置換する。合成部１５から出力された最終出力画像データは、記録処理部１６の内部において、まず色変換処理部１６１でＲＧＢデータからインク色（ＣＭＹＫ）ごとのデータに色変換処理（二値化）される。つづいて、ハーフトーン処理部１６２で記録実行可能な色階調のデータに変換される。つづいて、「領域設定手段」及び「メモ欄形成処理手段」としての領域判定部１６３では、メモ領域情報（領域開始座標（Ｘ１，Ｙ１）、サイズ（横幅Ｓ＿Ｘ、縦幅Ｓ＿Ｙ））に基づいてメモ領域ＭＦのデータをＮＵＬＬデータに置換する。
【００５２】
そして、ヘッドデータ生成部１６４は、記録ヘッド６２（図３）の物理的特性（ノズル配置）、噴射時間間隔等に応じてヘッドデータを生成して記録制御処理部１６５へ出力する。記録制御処理部１６５は、ヘッドドライバ１０８、ＣＲモータドライバ１０７、ＰＦモータドライバ１０６（図３）等で構成され、ＡＳＩＣ１０３（図３）からヘッドドライバ１０８へ上記のヘッドデータが送出され、そのヘッドデータに応じた給紙制御及び搬送制御（ＰＦモータ５８により駆動）とキャリッジ駆動制御（ＣＲモータ６３により駆動）とが実行されて記録紙Ｐへのデジタル画像の記録が行われる。
【００５３】
図９は、領域判定部１６３におけるメモ領域ＭＦのデータをＮＵＬＬデータに置換する手順を示したフローチャートである。  
まず、メモ領域情報（領域開始座標（Ｘ１，Ｙ１）、サイズ（横幅Ｓ＿Ｘ、縦幅Ｓ＿Ｙ））を取得する（ステップＳ２１）。つづいて、現在のデータ処理位置座標（Ｘ，Ｙ）とそのデータ処理位置の記録データを取得する（ステップＳ２２）。つづいて、現在のデータ処理位置のＹ方向座標値がメモ領域ＭＦの領域開始座標値Ｙ１以上かつＹ１＋Ｓ＿Ｙ未満か否かを判定する（ステップＳ２３）。Ｙ方向座標値がメモ領域ＭＦの領域開始座標値Ｙ１以上かつＹ１＋Ｓ＿Ｙ未満でなければ（ステップＳ２３でＮｏ）、Ｙ方向座標値がメモ領域ＭＦの外側の座標値ということになるので、メモ領域ＭＦ外と判定して記録データの置換は行わない。一方、Ｙ方向座標値がメモ領域ＭＦの領域開始座標のＹ１以上かつＹ１＋Ｓ＿Ｙ未満であれば（ステップＳ２３でＹｅｓ）、Ｙ方向座標値がメモ領域ＭＦの内側の座標値と判定する。
【００５４】
つづいて、現在のデータ処理位置座標（Ｘ，Ｙ）のＸ方向座標値がメモ領域ＭＦの領域開始座標値Ｘ１以上かつＸ１＋Ｓ＿Ｘ未満か否かを判定する（ステップＳ２４）。Ｘ方向座標値がメモ領域ＭＦの領域開始座標値Ｘ１以上かつＸ１＋Ｓ＿Ｘ未満でなければ（ステップＳ２４でＮｏ）、Ｘ方向座標値がメモ領域ＭＦの外側の座標値ということになるので、メモ領域ＭＦ外と判定して記録データの置換は行わない。一方、Ｘ方向座標値がメモ領域ＭＦの領域開始座標のＸ１以上かつＸ１＋Ｓ＿Ｘ未満であれば（ステップＳ２４でＹｅｓ）、Ｘ方向座標値がメモ領域ＭＦの内側の座標値ということになるので、現在のデータ処理位置（Ｘ，Ｙ）は、メモ領域ＭＦ内と判定し、現在のデータ処理位置（Ｘ，Ｙ）の記録データをＮＵＬＬデータに置換する（ステップＳ２５）。
【００５５】
このように、メモ領域の記録データがＮＵＬＬデータに置換されて記録紙Ｐへの記録が実行されることによって、メモ領域にはインクが噴射されずに記録が実行されるため、その部分にはデジタル画像が形成されない。それによって、記録実行後の記録紙Ｐの記録面には、デジタル画像の一部が白抜き（記録紙Ｐの地色）になった「メモ欄」が形成される。したがって、任意の大きさや形状で記録紙Ｐの地色の「メモ欄」を付加したデジタル写真をテンプレート画像の合成によることなく作成することができる。
【００５６】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００５７】
【図１】本発明に係るインクジェット式記録装置の概略の平面図である。
【図２】本発明に係るインクジェット式記録装置の概略の側面図である。
【図３】本発明に係る記録システムの概略のブロック図である。
【図４】本発明に係る記録制御の機能ブロック図の第１実施例である。
【図５】記録紙領域及び画像展開領域を模式的に示した平面図である。
【図６】メモ領域を指定する手順を示したフローチャートである。
【図７】メモ領域内か否かの判定手順を示したフローチャートである。
【図８】本発明に係る記録制御の機能ブロック図の第２実施例である。
【図９】メモ領域のデータを置換する手順を示したフローチャートである。
【符号の説明】
【００５８】
５０  インクジェット式記録装置、５１  キャリッジガイド軸、５２  プラテン、５３  搬送駆動ローラ、５４  搬送従動ローラ、５５  排紙駆動ローラ、５６  排紙従動ローラ、５７  給紙トレイ、５７ｂ  給紙ローラ、５８  ＰＦモータ、５９  キャッピング装置、６１  キャリッジ、６２  記録ヘッド、６３  ＣＲモータ、１００  記録制御部、１０１  ＲＯＭ、１０２  ＲＡＭ、１０３  ＡＳＩＣ、１０４  ＭＰＵ、１０５  不揮発性メモリ、１０６  ＰＦモータドライバ、１０７  ＣＲモータドライバ、１０８  ヘッドドライバ、２００  カードスロット、３０１  パーソナルコンピュータ、３０２  デジタルカメラ、３０３  携帯電話端末、Ｐ  記録紙、Ｘ  主走査方向、Ｙ  副走査方向
【図１】
2006231840.tif 000003
【図２】
2006231840.tif 000004
【図３】
2006231840.tif 000005
【図４】
2006231840.tif 000006
【図５】
2006231840.tif 000007
【図６】
2006231840.tif 000008
【図７】
2006231840.tif 000009
【図８】
2006231840.tif 000010
【図９】
2006231840.tif 000011